(57)【要約】      （修正有）【課題】剛性の弱いハンドルを左右に振って本体フレームと刈り刃とを左右に振るため、操作性が悪いという従来機の問題と、剛性の弱いハンドルを介してエンジンの振動や刈り刃の振動が直接手に伝わるという問題を解決する手押式草刈機を提供する。【解決手段】エンジン１を保持する本体フレーム２と、本体フレーム２の下端に設けられた左右一対の車輪７と、本体フレーム２と連結されたハンドル４と、左右一対の車輪７の前方に設けられて、エンジン１にて回転する刈り刃３と、を備える。そして、本体フレーム２が、平面視Ｕ字状のフレームを側面視Ｌ字状に曲げたものであり、そのフレームの開放された両端に門型ハンドル４の両端部が連結され、さらに、エンジン１とそれに連結された刈り刃３とが防振ゴム５を介して本体フレーム２に取り付けられている。【選択図】図１
0003202719.tif 000002
【実用新案登録請求の範囲】
【請求項１】
エンジンを保持する本体フレームと、該本体フレームの下端に設けられた左右一対の車輪と、前記本体フレームと連結されたハンドルと、前記左右一対の車輪の前方に設けられて、前記エンジンにて回転する刈り刃と、を備えた手押式草刈機において、
前記本体フレームが平面視Ｕ字状のフレームを側面視Ｌ字状に曲げたフレームとされ、そのフレームの開放された両端に門型ハンドルの両端部が連結されており、さらに、前記エンジンとそれに連結された前記刈り刃とが防振ゴムを介して前記本体フレームに取り付けられていることを特徴とする手押式草刈機。
【請求項２】
前記本体フレームの開放された両端と、前記門型ハンドルの両端部とが角度調整機構を介して連結されていることを特徴とする請求項1に記載の手押式草刈機。
【考案の詳細な説明】
【技術分野】
【０００１】
本考案は、手押式草刈機に関する。
【背景技術】
【０００２】
従来の手押式草刈機としては、下記特許文献１に記載のものが知られている。この草刈機は、エンジンを保持する本体フレームと、そのフレーム下端に設けられた左右一対の車輪と、その車輪の前方に設けられて、エンジンにて回転する刈り刃とを備えたものである。この草刈機を使用する際は、作業者がハンドルを持って刈り刃を一定の高さに浮かしつつ、手押しにて前進させながら、ハンドル操作によって刈り刃を幅広く左右に振って草刈りを行っている。
【先行技術文献】
【特許文献】
【０００３】
【特許文献１】特開2003−265013号公報
【考案の概要】
【考案が解決しようとする課題】
【０００４】
ところが、この草刈機は、剛性の弱いハンドルを左右に振って本体フレームと刈り刃とを左右に振るため、操作性が悪いという問題があった。また、剛性の弱いハンドルを介してエンジンの振動や刈り刃の振動が直接手に伝わるため、白蝋病になる恐れがあった。
本考案は、こうした問題を解決した、手押式草刈機を提供することを課題とする。
【課題を解決するための手段】
【０００５】
本考案に係る手押式草刈機は、エンジンを保持する本体フレームと、該本体フレームの下端に設けられた左右一対の車輪と、前記本体フレームと連結されたハンドルと、前記左右一対の車輪の前方に設けられて、前記エンジンにて回転する刈り刃と、を備えた手押式草刈機であって、特に前記本体フレームが、平面視Ｕ字状のフレームを側面視Ｌ字状に曲げたフレームとされ、そのフレームの開放された両端に門型ハンドルの両端部が連結されており、さらに、前記エンジンとそれに連結された前記刈り刃とが防振ゴムを介して前記本体フレームに取り付けられていることを特徴とする。
【０００６】
また、前記本体フレームの開放された両端と、前記門型ハンドルの両端部とが角度調整機構を介して連結されていることを特徴とする。
【考案の効果】
【０００７】
本考案によれば、平面視Ｕ字状のフレームを側面視Ｌ字状に曲げた本体フレームの開放された両端部に門型ハンドルの両端部を連結したので、従来の草刈機よりは、ハンドルの剛性を高めてハンドルの操作性と安定走行性を向上させることができる。また振動源であるエンジンとそれに連結された刈り刃とが防振ゴムを介して本体フレームに取り付けられているので、ハンドルを介して手に伝わる振動が軽減され、それによる白蝋病等を低減させることができる。
【図面の簡単な説明】
【０００８】
【図１】本考案に係る手押式草刈機の側面図。
【図２】上記手押式草刈機の平面図。
【図３】角度調整機構の側面図（イ）とＡ矢視図（ロ）。
【図４】防振ゴムの取り付け部分の側面図（イ）とＡ矢視図（ロ）。
【考案を実施するための形態】
【０００９】
以下、本考案に係る手押式草刈機の実施の形態を、図面を参照しながら説明する。
【００１０】
図1、図2において、本考案に係る手押式草刈機は、エンジン1を保持する本体フレーム2と、本体フレーム２の下端に設けられた車輪７と、本体フレーム2の開放された両端部に連結された門型ハンドル4と、左右一対の車輪７の前方に設けられて、エンジン1にて回転する刈り刃３とを備える。刈り刃３は、紐状のプラスチック刃や円盤状の金属歯から成る。
【００１１】
本体フレーム２は、パイプフレームを平面視Ｕ字状に曲げ、更に側面視Ｌ字状に曲げたものである。このＬ字状に曲げられた下端部には、門型のフレームを介して左右一対の車輪７が取り付けられている。また、本体フレーム２の開放された両端には、角度調整機構６を介して門型ハンドル４の両端部が連結されている。この門型ハンドル４の握り部分には振動を防止するゴム系のグリップ10を施している。
【００１２】
また、本体フレーム２の両サイドに分かれた側面視Ｌ字状の立ち上がり部分には、図４に示すように、上下左右四箇所の防振ゴム５を介して補強板１１が取り付けられ、その補強板１１のベース部分１２に、エンジン１と、刈り刃３と、それらを連結してエンジン１の回転を刈り刃３に伝達する動力伝達機構とが四本のステム１３を介して取り付けられている。この補強板１１は、金属製の矩形ベース部分１２の対辺に三角状の金属製プレートを固定して、補強板１１全体が四角錐となるように形成したもので、その頂点部分で動力伝達機構の後述の保持杆９を支持している。
【００１３】
動力伝達機構は、クラッチケース8と、基端がクラッチケース8に連結されると共に、先端が前方斜め下方に突出する円筒状の保持杆9と、保持杆9の先端に設けられた取付盤と、保持杆9の内部に回転自在に設けられた駆動シャフトとを備えたもので、この駆動シャフトの一端がクラッチに連結され、他端が刈り刃３を回転させる回転軸に連結されている。この回転軸は、取付盤に内装されているが、これらは、周知の構造であるから、ここでは、それらの詳細な説明は省略している。
【００１４】
角度調整機構６は、図３に示すように、二枚の歯付きディスクを噛みあわせた歯型クラッチで構成されている。そして、側面のノブ型ナットを弛めて歯型クラッチの噛み合いを解くと、図１の仮想線に示すように、ハンドル４が上下に揺動可能となり、ハンドル４を所望の傾斜角度に調整した後、ノブ型ナットを締付ければ、その角度でハンドル４が固定されるようになっている。これにより、草刈機を使用する作業者の身長に対応させることができる。
【符号の説明】
【００１５】
１    エンジン
２    本体フレーム
３    刈り刃
４    門型ハンドル
５    防振ゴム
６    角度調整部
７    車輪
８    クラッチケース
９    保持杆
１０  グリップ
１１  補強板
１２  補強板ベース
【図１】
0003202719.tif 000003
【図２】
0003202719.tif 000004
【図３】
0003202719.tif 000005
【図４】
0003202719.tif 000006